(57)【特許請求の範囲】
【請求項１】
取引に使用する貨幣を金種別に収納する複数の金種別カートリッジと、取引に使用しない貨幣を金種に関係なく収納するリジェクトカートリッジと、入出金口と、をむすぶ貨幣搬送路に沿って貨幣を搬送する貨幣搬送部と、
前記貨幣搬送部が前記貨幣搬送路に沿って搬送している貨幣毎に、その貨幣を識別する貨幣識別部と、
前記金種別カートリッジに収納している貨幣の収納枚数を金種別に管理するとともに、前記リジェクトカートリッジに収納している貨幣の収納枚数を金種別に管理する収納枚数管理部と、
前記金種別カートリッジのいずれかに収納している金種の貨幣について、前記入出金口に収納する枚数を出金枚数として設定する出金枚数設定部と、を備え、
前記貨幣搬送部は、
前記出金枚数設定部が出金枚数を設定した金種の貨幣について、その金種の貨幣を収納している前記金種別カートリッジから繰り出した貨幣を前記貨幣識別部で識別し、識別できた貨幣を前記入出金口に搬送して収納し、識別できなかった貨幣を前記貨幣搬送路でむすばれている一時保留部に搬送して収納する第１の貨幣搬送制御と、
前記第１の貨幣搬送制御で前記一時保留部に収納した貨幣について、前記貨幣搬送路に沿って搬送しているときに、前記貨幣識別部で枚数が判定できた貨幣を、前記リジェクトカートリッジに搬送して収納し、前記貨幣識別部で枚数が判定できなかった貨幣を、この貨幣を繰り出した金種別カートリッジと同じ金種の金種別カートリッジに搬送して収納する第２の貨幣搬送制御と、を行い、
前記収納枚数管理部は、前記入出金口に搬送した貨幣の金種別の枚数、および前記リジェクトカートリッジに収納した貨幣の金種別の枚数を用いて、前記金種別カートリッジに収納している貨幣の収納枚数を金種別に管理するとともに、前記リジェクトカートリッジに収納している貨幣の収納枚数を金種別に管理する、貨幣処理ユニット。
【請求項２】
前記収納枚数管理部は、前記金種別カートリッジ毎に、その金種別カートリッジに収納している貨幣の収納枚数を管理し、
前記第２の貨幣搬送制御は、前記貨幣識別部で枚数が判定できなかった貨幣を、この貨幣を繰り出した金種別カートリッジに収納する、請求項１に記載の貨幣処理ユニット。
【請求項３】
前記第２の貨幣搬送制御は、前記第１の貨幣搬送制御で前記一時保留部に収納した貨幣について、前記貨幣識別部で枚数が判定でき、且つ金種が識別できなかった貨幣を、前記リジェクトカートリッジに搬送して収納し、前記貨幣識別部で枚数が判定でき、且つ金種も識別できた貨幣を、この貨幣を繰り出した金種別カートリッジと同じ金種の金種別カートリッジに搬送して収納する、請求項１、または２に記載の貨幣処理ユニット。
【請求項４】
前記貨幣搬送部は、
前記入出金口に投入された貨幣を繰り出し、前記貨幣識別部で識別できた貨幣を前記一時保留部に搬送して収納し、識別できなかった貨幣を前記入出金口に戻す第３の貨幣搬送制御と、
前記第３の貨幣搬送制御で前記一時保留部に収納した貨幣を繰り出し、前記貨幣識別部で識別できた貨幣を該当する金種の金種別カートリッジに搬送して収納し、識別できなかった貨幣を前記リジェクトカートリッジに搬送して収納する第４の貨幣搬送制御と、を行い、
前記収納枚数管理部は、前記金種別カートリッジ毎に収納している貨幣の枚数を前記第４の貨幣搬送制御で収納した枚数に基づいて管理し、且つ、前記第３の貨幣搬送制御で前記一時保留部に搬送して収納した貨幣の金種別の枚数、および前記第４の貨幣搬送制御で前記金種別カートリッジに収納した貨幣の枚数に基づいて、前記リジェクトカートリッジに収納している貨幣について金種別に、その枚数を管理する、請求項１〜３のいずれかに記載の貨幣処理ユニット。
【請求項５】
前記貨幣搬送部は、前記出金枚数設定部が複数の金種の貨幣について、前記入出金口に収納する出金枚数を設定した場合、前記第１の貨幣搬送制御、および前記第２の貨幣搬送制御を金種別に繰り返す、請求項１〜４のいずれかに記載の貨幣処理ユニット。
【請求項６】
前記収納枚数管理部は、前記貨幣識別部で金種が識別できなかった貨幣については、その貨幣を繰り出した前記金種別カートリッジに対応する金種として管理する、請求項１〜５のいずれかに記載の貨幣処理ユニット。
【請求項７】
請求項１〜６のいずれかに記載の貨幣処理ユニットと、
出金金額の入力操作を受け付ける操作ユニットと、を備え、
前記貨幣処理ユニットの前記出金枚数設定部は、前記入出金口に収納する貨幣の出金枚数を、前記操作ユニットにおいて受け付けた出金金額に応じて設定する、自動取引処理装置。
【発明の詳細な説明】
【技術分野】
【０００１】
この発明は、貨幣の入出金処理を行うとともに、カートリッジに収納している貨幣の枚数を金種別に管理する貨幣処理ユニット、およびこの貨幣処理ユニットを備える自動取引処理装置に関する。
【背景技術】
【０００２】
従来、金融機関の店舗や、コンビニエンスストア等に設置している現金自動預け払い機（以下、ＡＴＭと言う。）は、利用者の入力操作に応じて、その利用者が要求する入金取引や出金取引等の各種取引を処理する。
【０００３】
ＡＴＭは、紙幣を処理する紙幣処理ユニットを備える。紙幣処理ユニットは、紙幣を収納するカートリッジを複数備える。カートリッジには、収納する紙幣の金種を定めた金種別カートリッジと、取引に使用しない紙幣（以下、リジェクト紙幣と言う。）を収納するリジェクトカートリッジとがある。また、紙幣処理ユニットは、本体内の紙幣の収納枚数を金種別に管理している。具体的には、紙幣処理ユニットは、入金取引で入金された入金紙幣については、金種別に入金枚数を計数し、金種別に、計数した入金枚数をその時点で管理している該当する金種の収納枚数に加算する。また、紙幣処理ユニットは、出金取引で出金した出金紙幣については、金種別に出金枚数を計数し、金種別に、計数した出金枚数をその時点で管理している該当する金種の収納枚数から減算する。
【０００４】
この紙幣処理ユニットは、金種別カートリッジに収納している紙幣と、リジェクトカートリッジに収納している紙幣と、を合わせて管理している（金種別カートリッジに収納している紙幣と、リジェクトカートリッジに収納している紙幣とを区別して管理していない。）。
【０００５】
また、金種別カートリッジに収納している紙幣と、リジェクトカートリッジに収納している紙幣と、を区別し、金種別に枚数を管理する紙幣処理ユニットもある（特許文献１参照）。この紙幣処理ユニットは、出金処理時に、スタッカ（金種別カートリッジ）から繰出された紙幣の枚数（繰出枚数）を金種別に計数するとともに、繰出された紙幣について金種が確定した正常紙幣の枚数（出金枚数）を金種別に計数し、これらの計数値を用いてリジェクトカートリッジに収納しているリジェクト紙幣について、金種別に枚数を管理する構成である。
【先行技術文献】
【特許文献】
【０００６】
【特許文献１】特開２００８−２３４１９０号公報
【発明の概要】
【発明が解決しようとする課題】
【０００７】
しかしながら、特許文献１の構成は、紙幣の重送が生じないことを前提にしており、紙幣の重送が生じたときに、リジェクトカートリッジに収納している紙幣について管理している金種別の枚数が不適正になる。例えば、金種別カートリッジから２枚の紙幣が重なった状態で繰り出された場合、繰出枚数は１枚として計数される。重送された２枚の紙幣は、識別部でリジェクト紙幣であると識別され、リジェクトカートリッジに収納される。このように、紙幣の重送が生じると、計数される繰り出し枚数が不適正（実際は２枚繰り出されているが、１枚として計数される。）になる。その結果、リジェクトカートリッジに収納している紙幣について、金種別に管理している紙幣の枚数が不適正になるとともに、この重送された紙幣を繰り出した金種別カートリッジに収納している紙幣についても管理している枚数が不適正になる。
【０００８】
この発明の目的は、複数毎の貨幣が重なった状態で搬送される重送が生じても、各カートリッジに収納している貨幣について、金種別に枚数を管理することができる、貨幣処理ユニット、および自動取引処理装置を提供することにある。
【課題を解決するための手段】
【０００９】
この発明の貨幣処理ユニットは、上記課題を解決するために、以下のように構成している。
【００１０】
貨幣搬送部は、取引に使用する貨幣を金種別に収納する複数の金種別カートリッジと、取引に使用しない貨幣を金種に関係なく収納するリジェクトカートリッジと、入出金口と、をむすぶ貨幣搬送路に沿って貨幣を搬送する。貨幣識別部は、貨幣搬送部が貨幣搬送路に沿って搬送している貨幣毎に、その貨幣を識別する。貨幣識別部は、その貨幣の金種、真偽を識別するだけでなく、その貨幣が１枚であるか複数枚（２枚以上）であるかの判定も行える。貨幣識別部で金種、真偽が識別できない貨幣には、偽造貨幣だけでなく、折れや欠損によって識別できない貨幣も含まれる。
【００１１】
収納枚数管理部は、金種別カートリッジに収納している貨幣の収納枚数を金種別に管理するとともに、リジェクトカートリッジに収納している貨幣の収納枚数を金種別に管理する。出金枚数設定部は、金種別カートリッジのいずれかに収納している金種の貨幣について、入出金口に収納する枚数を出金枚数として設定する。
【００１２】
また、貨幣搬送部は、以下に示す第１の貨幣搬送制御と、第２の貨幣搬送制御とを行う。
【００１３】
第１の貨幣搬送制御は、出金枚数設定部が出金枚数を設定した金種の貨幣について、その金種の貨幣を収納している金種別カートリッジから繰り出した貨幣を貨幣識別部で識別し、識別できた貨幣を入出金口に搬送して収納し、識別できなかった貨幣を貨幣搬送路でむすばれている一時保留部に搬送して収納する。この第１の貨幣搬送制御では、金種、真偽が識別でき、且つ１枚であると判定できた貨幣を入出金口に搬送して収納し、金種、真偽が識別でなかった貨幣、および１枚であると判定できなかった貨幣を一時保留部に搬送して収納する。これにより、出金枚数設定部が出金枚数を設定した金種の貨幣を、入出金口に設定した出金枚数だけ搬送し収納することができる。この入出金口に収納された貨幣は、利用者に対して放出される貨幣である。
【００１４】
また、一時保留部に収納している貨幣は、入出金口に搬送して収納した貨幣と同じ金種の金種別カートリッジから繰り出された貨幣であるので、入出金口に搬送して収納した貨幣と同じ金種である。
【００１５】
第２の貨幣搬送制御は、第１の貨幣搬送制御で一時保留部に収納した貨幣について、貨幣搬送路に沿って搬送しているときに、貨幣識別部で枚数が判定できた貨幣を、リジェクトカートリッジに搬送して収納し、貨幣識別部で枚数が判定できなかった貨幣を、この貨幣を繰り出した金種別カートリッジと同じ金種の金種別カートリッジに搬送して収納する。
【００１６】
したがって、第１の貨幣搬送制御で入出金口に搬送し収納した貨幣の金種、および枚数を適正に計数することができるとともに、第２の貨幣搬送制御でリジェクトカートリッジに搬送し収納した貨幣の金種、および枚数も適正に計数することができる。このため、金種別カートリッジに収納している貨幣の枚数を、金種別に管理することができるとともに、リジェクトカートリッジに収納している貨幣についても、その枚数を金種別に管理することができる。
【００１７】
また、第２の搬送制御を、貨幣識別部で枚数が判定できなかった貨幣を、この貨幣を繰り出した金種別カートリッジに収納する構成とすることで、金種別カートリッジ毎に収納している貨幣の枚数を管理することができる。
【００１８】
また、第２の貨幣搬送制御は、貨幣識別部で枚数が判定でき、且つ金種が識別できなかった貨幣を、リジェクトカートリッジに搬送して収納し、貨幣識別部で枚数が判定でき、且つ金種、真偽も識別できた貨幣を、この貨幣を繰り出した金種別カートリッジと同じ金種の金種別カートリッジに搬送して収納する構成としてもよい。このようにすれば、リジェクトカートリッジに収納する貨幣の枚数を抑えることができ、リジェクトカートリッジの交換作業にかかる係員の手間を低減することができる。
【００２０】
また、貨幣搬送部は、以下に示す第３の貨幣搬送制御と、第４の貨幣搬送制御とを行う構成としてもよい。
【００２１】
第３の貨幣搬送制御は、入出金口に投入された貨幣を繰り出し、貨幣識別部で識別できた貨幣を一時保留部に搬送して収納し、識別できなかった貨幣を入出金口に戻す。また、第４の貨幣搬送制御は、第３の貨幣搬送制御で一時保留部に収納した貨幣を繰り出し、貨幣識別部で識別できた貨幣を該当する金種の金種別カートリッジに搬送して収納し、識別できなかった貨幣を前記リジェクトカートリッジに搬送して収納する。
【００２２】
さらに、収納枚数管理部は、金種別カートリッジ毎に収納している貨幣の枚数を第４の貨幣搬送制御で収納した枚数に基づいて管理し、且つ、第３の貨幣搬送制御で一時保留部に搬送して収納した貨幣の金種別の枚数、および第４の貨幣搬送制御で金種別カートリッジに収納した貨幣の枚数に基づいて、リジェクトカートリッジに収納している貨幣について金種別に、その枚数を管理する。これにより、入金貨幣を受け付けても、金種別カートリッジに収納している貨幣や、リジェクトカートリッジに収納している貨幣の枚数を金種別に適正に管理することができる。
【００２３】
また、貨幣搬送部は、出金枚数設定部が複数の金種の貨幣について、入出金口に収納する出金枚数を設定した場合、第１の貨幣搬送制御、および第２の貨幣搬送制御を金種別に繰り返すのが好ましい。これにより、第２の貨幣搬送制御を行うときに、一時保留部に複数の金種の貨幣が収納している状態になるのを防止でき、一層適正に、金種別カートリッジに収納している貨幣や、リジェクトカートリッジに収納している貨幣の枚数を金種別に管理することができる。
【００２４】
また、この発明にかかる貨幣処理ユニットは、現金自動預け払い機（ＡＴＭ）等の貨幣を取り扱う自動取引処理装置に適用できる。
【発明の効果】
【００２５】
この発明によれば、複数毎の貨幣が重なった状態で搬送される重送が生じても、各カートリッジに収納している貨幣について、金種別に枚数を管理することができる。
【図面の簡単な説明】
【００２６】
【図１】現金自動預け払い機の外観を示す概略図である。
【図２】現金自動預け払い機の主要部の構成を示すブロック図である。
【図３】紙幣処理ユニットの内部構成を示す概略図である。
【図４】紙幣処理ユニットの主要部の構成を示すブロック図である。
【図５】紙幣管理テーブルを示す図である。
【図６】ＡＴＭの入金取引処理を示すフローチャートである。
【図７】ＡＴＭの入金取引処理を示すフローチャートである。
【図８】紙幣繰出処理を示すフローチャートである。
【図９】紙幣繰出処理を示すフローチャートである。
【図１０】紙幣繰出処理を示すフローチャートである。
【発明を実施するための形態】
【００２７】
以下、この発明の実施形態について説明する。
【００２８】
図１は、この発明の実施形態である現金自動預け払い機の外観を示す概略図である。図２は、この現金自動預け払い機の主要部の構成を示すブロック図である。
【００２９】
この現金自動預け払い機１（以下、ＡＴＭ１と言う。）は、図２に示すように、主制御部２と、表示・操作ユニット３と、紙幣処理ユニット４と、硬貨処理ユニット５と、カード・明細書処理ユニット６と、通帳処理ユニット７と、通信ユニット８と、を備えている。このＡＴＭ１は、金融機関の店舗やコンビニエンスストア等に設置され、利用者が要求する種別の取引（入金取引や出金取引等）を処理する。主制御部２は、各ユニットの動作を制御する。
【００３０】
表示・操作ユニット３は、本体正面に設けた表示器３ａ、およびこの表示器３ａの画面上に貼付したタッチパネル３ｂを有している。表示・操作ユニット３は、利用者に対する操作案内画面を表示器３ａに表示する。また、表示・操作ユニット３は、タッチパネル３ｂの押下位置を検知することにより、暗証番号や取引内容（取引種別、出金金額等）にかかる利用者の入力操作を受け付ける。また、表示・操作ユニット３は、利用者の生体情報（指紋、指静脈、掌紋等）を読み取る生体情報読取部等を有していてもよい。
【００３１】
紙幣処理ユニット４は、入出金紙幣を処理する。本体正面には、入出金紙幣を収納する紙幣入出金口４ａを設けている。この紙幣入出金口４ａには、シャッタが設けられている。また、紙幣入出金口４ａには、入金紙幣、出金紙幣、および返却紙幣の収納場所を区別する仕切り板が設けられている。紙幣処理ユニット４は、このシャッタの開閉により、紙幣入出金口４ａに対する紙幣の投入や取り出しを制限する。
【００３２】
この紙幣処理ユニット４が、この発明の貨幣処理ユニットの実施形態である。
【００３３】
硬貨処理ユニット５は、入出金硬貨を処理する。本体正面には、入出金硬貨を収納する硬貨入出金口５ａを設けている。この硬貨入出金口５ａには、シャッタが設けられている。また、硬貨処理ユニット５は、このシャッタの開閉により、硬貨入出金口５ａに対する硬貨の投入や取り出しを制限する。
【００３４】
カード・明細書処理ユニット６は、本体正面に設けたカード挿入口６ａに挿入されたカードを取り込み、このカードに記録されているカード情報（金融機関番号、店舗番号、口座番号等）の読み取りや、カード情報の書き換え等を行う。カード・明細書処理ユニット６は、磁気カードを処理する構成であってもよいし、ＩＣカードを処理する構成であってもよいし、両方のカード（磁気カード、およびＩＣカード）を処理する構成であってもよい。また、カード・明細書処理ユニット６は、取引内容を明細書に印字する印字部（不図示）を有する。カード・明細書処理ユニット６は、取引内容を印字した明細書を本体正面に設けた明細書放出口６ｂに放出する。
【００３５】
通帳処理ユニット７は、本体正面に設けた通帳挿入口７ａに挿入された通帳を取り込み、この通帳に対して取引履歴を印字する印字部（不図示）を有している。また、通帳処理ユニット７は、取り込んだ通帳のページを捲るページ捲り機構や、通帳に印刷されているページ番号を示すバーコードを読み取るバーコードリーダ、通帳に貼付されている磁気ストライプに記録されている通帳情報（金融機関番号、店舗番号、口座番号等）を読み取る磁気ヘッド等も有している。
【００３６】
通信ユニット８は、センタに設置されている上位装置（不図示）との間におけるデータ通信を制御する。
【００３７】
なお、センタは、開設されている口座毎に、口座開設者の氏名、住所、連絡先電話番号、取引履歴、暗証番号、口座残高等を含む口座管理情報を登録したデータベースを備えている。センタは、ＡＴＭ１から通知された取引内容に基づいて、取引が行われた口座にかかる口座管理情報を更新する処理や、ＡＴＭ１からの取引可否の認証要求に対して、取引可否を認証し、その認証結果を返信する処理等を行う。
【００３８】
ここで、紙幣処理ユニット４について詳細に説明する。図３は、紙幣処理ユニットの内部構成を示す概略図である。図４は、紙幣処理ユニットの主要部の構成を示すブロック図である。紙幣処理ユニット４は、制御部１１と、搬送部１２と、識別部１３と、記憶部１４と、入出力部１５と、を備えている。
【００３９】
制御部１１は、この紙幣処理ユニット４本体各部の動作を制御する。
【００４０】
紙幣処理ユニット４は、金種別カートリッジ４１〜４４と、リジェクトカートリッジ４５とを内部に収納している。金種別カートリッジ４１〜４４、およびリジェクトカートリッジ４５は、本体に対して着脱自在である。この例では、金種別カートリッジ４１、４２は、１万円紙幣を収納する。金種別カートリッジ４３、４４は、千円紙幣を収納する。リジェクトカートリッジ４５は、金種に関係なく、取引に使用しないと判定した紙幣等を収納する。また、紙幣処理ユニット４は、紙幣を一時的に保留する一時保留部４６を備えている。
【００４１】
紙幣処理ユニット４には、金種別カートリッジ４１〜４４、リジェクトカートリッジ４５、一時保留部４６、および紙幣入出金口４ａをむすぶ紙幣搬送路４０が形成されている。搬送部１２は、図示していない搬送モータを制御し、紙幣搬送路４０に沿って紙幣を搬送する。金種別カートリッジ４１〜４４、一時保留部４６、および紙幣入出金口４ａには、収納している紙幣を紙幣搬送路４０に繰り出す繰出機構が設けられているが、リジェクトカートリッジ４５には、収納している紙幣を紙幣搬送路４０に繰り出す繰出機構が設けられていない。搬送部１２は、金種別カートリッジ４１〜４４、一時保留部４６、または紙幣入出金口４ａに収納している紙幣を紙幣搬送路４０に繰り出す処理や、紙幣搬送路４０の分岐点等に設けられているフラッパを制御して搬送している紙幣の搬送先を制御する処理や、紙幣入出金口４ａに設けたシャッタを開閉する処理等も行う。
【００４２】
識別部１３は、紙幣搬送路４０に沿って搬送されている紙幣の金種、真偽を識別する。識別部１３は、紙幣搬送路４０に沿って搬送されている紙幣毎に、その紙幣から読み取った光学パターンや磁気パターン等の特徴量を用いて、その金種、真偽を識別する。また、識別部１３は、紙幣の厚さ、紙幣搬送路４０における搬送方向の長さ、紙幣搬送路４０における搬送方向に対して垂直な方向の長さを検出し、その紙幣が１枚であるか、複数枚（重送されている紙幣）であるかの判定も行う。
【００４３】
なお、識別部１３において、金種、真偽が識別できなかった紙幣は、偽造紙幣であるとは限らない。識別部１３において、金種、真偽が識別できなかった紙幣には、折れや欠損（破れ）によって金種、真偽が識別できなかった真券も含まれる。
【００４４】
記憶部１４は、図５に示す、紙幣管理テーブルを記憶し、金種別カートリッジ４１〜４４、およびリジェクトカートリッジ４５に収納している紙幣の枚数を管理する。紙幣管理テーブルは、図５に示すように、金種別カートリッジ４１〜４４毎に、その金種別カートリッジに収納している紙幣の枚数を対応付けている。金種別カートリッジ４１〜４４は、収納する紙幣の金種を定めているので、紙幣管理テーブルは、金種別カートリッジ４１〜４４については実質的に収納枚数を管理している。一方、リジェクトカートリッジ４５は、金種に関係なく、取引に使用しないと判定した紙幣等を収納するので、紙幣管理テーブルは、リジェクトカートリッジ４５については金種別に枚数を対応付けて記憶している。リジェクトカートリッジ４５に収納される紙幣の金種は、１万円紙幣、千円紙幣だけでなく、５千円紙幣や、２千円紙幣も含まれる。
【００４５】
図５に示す例では、金種別カートリッジ４１に収納している紙幣（１万円紙幣）の枚数がＡ枚、金種別カートリッジ４２に収納している紙幣（１万円紙幣）の枚数がＢ枚、金種別カートリッジ４３に収納している紙幣（千円紙幣）の枚数がＣ枚、金種別カートリッジ４４に収納している紙幣（千円紙幣）の枚数がＤ枚である。また、リジェクトカートリッジ４５に収納している千円紙幣の枚数がＥ枚、２千円紙幣の枚数がＦ枚、５千円紙幣の枚数がＧ枚、１万円紙幣の枚数がＨ枚である。
【００４６】
入出力部１５は、主制御部２との間におけるデータやコマンドの入出力を行う。
【００４７】
以下、ＡＴＭ１の動作について説明する。ここでは、金種別カートリッジ４１〜４４、およびリジェクトカートリッジ４５のいずれかにおいて紙幣の収納枚数が変化する、入金取引処理、および出金取引処理について説明する。
【００４８】
図６は、ＡＴＭの入金取引処理を示すフローチャートである。ＡＴＭ１は、表示・操作ユニット３において、取引種別として入金取引が選択されると、図６に示す入金取引処理を実行する。
【００４９】
ＡＴＭ１は、通帳、またはカードを受け付け、入金取引を行う口座を特定する（ｓ１）。利用者は、カードをカード挿入口６ａに挿入するか、通帳を通帳挿入口７ａに挿入する。カードが挿入された場合、カード・明細書処理ユニット６がそのカードに記録されているカード情報を読み取り、入金取引を行う口座を特定する。通帳が挿入された場合、通帳処理ユニット７がその通帳に貼付されている磁気ストライプに記録されている通帳情報を読み取り、入金取引を行う口座を特定する。
【００５０】
ＡＴＭ１は、紙幣処理ユニット４で入金紙幣を受け付ける（ｓ２）。ｓ２では、紙幣処理ユニット４が、紙幣入出金口４ａに設けたシャッタを開する。利用者は、入金紙幣を紙幣入出金口４ａに投入する。紙幣処理ユニット４は、紙幣入出金口４ａへの入金紙幣の投入が完了すると、シャッタを閉する。
【００５１】
紙幣処理ユニット４は、ｓ２で受け付けた入金紙幣を、金種別に枚数を計数し、入金金額を算出する（ｓ３）。このｓ３では、紙幣処理ユニット４は、搬送部１２において、紙幣入出金口４ａに投入された紙幣を１枚ずつ紙幣搬送路４０に繰り出し、識別部１３に搬送し、金種、真偽を識別する。また、識別部１３は、紙幣の厚さ、搬送方向の長さ、および搬送方向に対して垂直な方向の長さを検出し、その紙幣が１枚であるかどうかも判定する。
【００５２】
紙幣処理ユニット４は、識別部１３で金種、真券であることが識別でき、且つ１枚であると判定できた紙幣を、紙幣搬送路４０に沿って一時保留部４６に搬送し、収納する。紙幣処理ユニット４は、識別部１３で金種、真券であることが識別できなかった紙幣や、１枚であると判定できなかった紙幣については、紙幣入出金口４ａに搬送し、収納する（紙幣入出金口４ａに戻す。）。また、紙幣処理ユニット４は、一時保留部４６に搬送し、収納した紙幣については、金種別に枚数を計数している。具体的には、一時保留部４６に収納した紙幣について、１万円紙幣−ｓ枚、５千円紙幣−ｔ枚、２千円紙幣−ｕ枚、千円紙幣−ｖ枚と計数している。
【００５３】
なお、紙幣処理ユニット４は、ｓ３で紙幣入出金口４ａに戻した紙幣があれば、紙幣入出金口４ａに設けたシャッタを開し、この紙幣を利用者に返却する。
【００５４】
ＡＴＭ１は、紙幣処理ユニット４が一時保留部４６に収納した紙幣の合計金額を入金金額として、表示・操作ユニット３の表示器３ａに表示するとともに、利用者に対して入金金額の確認入力を要求する（ｓ４）。
【００５５】
なお、利用者が、入金紙幣を紙幣入出金口４ａに追加投入した場合には、追加投入された紙幣について、上述したｓ３にかかる処理を再度実行する。この場合、先に一時保留部４６に搬送し、収納した紙幣にかかる金種別の枚数をリセットすることはない。
【００５６】
ＡＴＭ１は、表示・操作ユニット３において、入金金額の確認入力を受け付けると、ｓ１で特定した口座に対する入金処理を行う（ｓ５）。ｓ５にかかる入金処理は、通信ユニット８において、今回の入金取引にかかる取引内容（ｓ１で特定した口座、入金金額等）をセンタに送信する処理である。また、ＡＴＭ１は、ｓ１で通帳を受け付けていれば、通帳処理ユニット７において、取引内容を通帳に記入していない取引（少なくとも、今回の入金取引）毎に、その取引の取引内容を通帳に印字し、この通帳を通帳挿入口７ａに放出する。ＡＴＭ１は、通帳に印字する取引内容をセンタから取得する。また、ＡＴＭ１は、ｓ１でカードを受け付けていれば、カード処理・明細書処理ユニット６が、このカードをカード挿入口６ａに放出するとともに、今回の入金取引の取引内容を印字した明細書を明細書放出口６ｂに放出する。ＡＴＭ１は、明細書に印字する取引内容をセンタから取得する。利用者は、放出された通帳、または、カードおよび明細書を受け取る。
【００５７】
この時点で、利用者との間における入金取引が完了する。この後、ＡＴＭ１では、紙幣処理ユニット４が、一時保留部４６に収納している紙幣を、各カートリッジに収納し、紙幣管理テーブルを更新する処理を行う。
【００５８】
紙幣処理ユニット４は、搬送部１２において、一時保留部４６に収納している紙幣を１枚ずつ紙幣搬送路４０に繰り出し、識別部１３に搬送し、金種、真偽を識別する（ｓ６）。また、識別部１３は、紙幣の厚さ、搬送方向の長さ、および搬送方向に対して垂直な方向の長さを検出し、その紙幣が１枚であるかどうかも判定する。
【００５９】
紙幣処理ユニット４は、金種、および真券であることが識別でき、且つ１枚であると判定できた紙幣であって、その紙幣の金種の金種別カートリッジ４１〜４４を収納していれば、その紙幣を該当する金種の金種別カートリッジ４１〜４４に搬送し、収納する（ｓ７、ｓ８、ｓ９）。紙幣処理ユニット４は、金種別カートリッジ４１〜４４毎に、ｓ９で収納した紙幣の枚数を計数している。紙幣処理ユニット４は、金種、真券であることが識別できなかった紙幣、１枚であると判定できなかった紙幣、該当する金種の金種別カートリッジ４１〜４４を収納していない紙幣（この例では、５千円紙幣や２千円紙幣）については、リジェクトカートリッジ４５に搬送し、収納する（ｓ７、ｓ８、ｓ１０）。
【００６０】
紙幣処理ユニット４は、一時保留部４６に収納していた全ての紙幣を、いずれかのカートリッジに搬送し、収納すると、金種別カートリッジ４１〜４４毎に、紙幣管理テーブルに記憶している収納枚数を、今回収納した枚数を加算した枚数に更新する（ｓ１１）。紙幣処理ユニットは、上述したｓ７〜ｓ１０の処理を行っているときに、金種別カートリッジ４１〜４４毎に、収納した紙幣の枚数を計数している。例えば、金種別カートリッジ４１に収納した１万円紙幣の枚数ｓ１、金種別カートリッジ４２に収納した１万円紙幣の枚数ｓ２、金種別カートリッジ４３に収納した千円紙幣の枚数ｖ１、および金種別カートリッジ４４に収納した千円紙幣の枚数ｖ２を計数している。ｓ１１では、金種別カートリッジ４１〜４４毎に、紙幣管理テーブルに記憶している紙幣の収納枚数を、今回収納した枚数加算した枚数に更新する。図５に示す紙幣管理テーブルを例にすると、金種別カートリッジ４１に収納している１万円紙幣の枚数をＡ＋ｓ１、金種別カートリッジ４２に収納している１万円紙幣の枚数をＢ＋ｓ２、金種別カートリッジ４３に収納している千円紙幣の枚数をＣ＋ｖ１、金種別カートリッジ４４に収納している千円紙幣の枚数をＤ＋ｖ２に更新する。
【００６１】
さらに、紙幣処理ユニット４は、紙幣管理テーブルで、金種別に管理しているリジェクトカートリッジ４５に収納している紙幣の枚数を更新する（ｓ１２）。ｓ１２では、金種毎に、一時保留部４６に収納したその金種の紙幣の枚数から、金種別カートリッジ４１〜４４に収納したその金種の紙幣の枚数を減算した枚数を算出する。ここで金種毎に算出される枚数が、今回リジェクトカートリッジ４５に収納された枚数である。金種毎に、紙幣管理テーブルに記憶している収納枚数を、その金種について算出した枚数を加算した枚数に更新する。
【００６２】
上記の例では、リジェクトカートリッジ４５に収納している金種毎の紙幣の枚数を、１万円紙幣−Ｈ＋（ｓ−ｓ１−ｓ２）枚、５千円紙幣−Ｇ＋ｔ枚、２千円紙幣−Ｆ＋ｕ枚、千円紙幣−Ｅ＋（ｖ−ｖ１−ｖ２）枚に更新する。
【００６３】
このように、紙幣処理ユニット４は、入金取引を処理したときに、利用者が投入した入金紙幣によって、金種別カートリッジ４１〜４４、およびリジェクトカートリッジ４５に収納している紙幣の枚数に変化が生じても、金種別カートリッジ４１〜４４、およびリジェクトカートリッジ４５に収納している紙幣の枚数を適正に管理することができる。
【００６４】
なお、現金による振込取引が行われた場合も、上記入金取引の場合と同様に、利用者が投入した振込紙幣によって、金種別カートリッジ４１〜４４、およびリジェクトカートリッジ４５に収納している紙幣の枚数に変化が生じる。紙幣処理ユニット４は、振込紙幣についても、上述の入金紙幣と同様に処理し、紙幣管理テーブルを更新する。
【００６５】
次に、ＡＴＭ１における出金取引処理について説明する。図７は、ＡＴＭの出金取引処理を示すフローチャートである。ＡＴＭ１は、表示・操作ユニット３において、取引種別として出金取引が選択されると、図７に示す処理を実行する。ＡＴＭ１は、カード挿入口６ａに挿入されたカードを受け付け、出金取引を行う口座を特定する（ｓ２１）。ｓ２１では、通帳挿入口７ａに通帳が挿入されると、この通帳も受け付ける。さらに、ｓ２１では、指紋、掌紋等の生体情報を用いた生体認証を行い、利用者がカード所有者（今回取引を行う口座の開設者）であるかどうかの本人認証を行ってもよい。
【００６６】
ＡＴＭ１は、表示・操作ユニット３において、暗証番号の入力を受け付ける（ｓ２２）。また、ＡＴＭ１は、表示・操作ユニット３において、出金金額の入力を受け付ける（ｓ２３）。
【００６７】
ＡＴＭ１は、ｓ２１で特定した出金取引を行う口座の口座番号、ｓ２２で入力された暗証番号、およびｓ２３で入力された出金金額を含む取引の認証要求をセンタに送信する（ｓ２４）。センタとの通信は、通信ユニット８において行われる。センタは、ＡＴＭ１からの取引の認証要求に対して、暗証番号の一致／不一致や、口座残高の過不足等を判断し、取引の可否を認証する。センタは、取引の可否にかかる認証結果をＡＴＭ１に返信する。
【００６８】
ＡＴＭ１は、センタから返信された取引の可否にかかる認証結果が取引否であれば（ｓ２５）、取引中止処理を行い（ｓ２６）、本処理を終了する。ｓ２６では、ｓ２１で受け付けたカードをカード挿入口６ａに放出する。また、表示器３ａに、取引できない理由、暗証番号間違いや、残高不足等を表示する。
【００６９】
なお、ｓ２６で取引を中止せずに、暗証番号の再入力や、口座残高を表示して出金金額の再入力を要求し、再入力された暗証番号や出金金額で、再度取引の認証要求をセンタに送信する構成としてもよい。
【００７０】
ＡＴＭ１は、センタから返信された取引の可否にかかる認証結果が取引可であれば（ｓ２５）、紙幣処理ユニット４における紙幣繰出処理を行う（ｓ２７）。この紙幣繰出処理は、ｓ２３で受け付けた出金金額に応じた紙幣を、金種別カートリッジ４１〜４４から繰り出し、紙幣入出金口４ａに搬送する処理である。
【００７１】
図８は、ｓ２７における紙幣繰出処理を示すフローチャートである。紙幣処理ユニット４は、ｓ２３で受け付けた出金金額に基づき、金種別に紙幣の出金枚数を決定する（ｓ４１）。ｓ４１では、金種別カートリッジ４１〜４４を有する金種の紙幣について出金枚数を設定する。この例では、１万円紙幣の出金枚数と、千円紙幣の出金枚数を設定する。
【００７２】
紙幣処理ユニット４は、ｓ４１で出金枚数を設定したいずれかの金種について、ｓ４１で設定した枚数の紙幣を繰り出す金種別カートリッジ４１〜４４を決定する（ｓ４２）。紙幣処理ユニット４は、搬送部１２がｓ４２で決定した金種別カートリッジ４１〜４４から紙幣を１枚ずつ紙幣搬送路４０に繰り出し、識別部１３に搬送する。このとき、搬送部１２は、ｓ４２で決定した金種別カートリッジから、その金種についてｓ４１で設定して出金枚数の紙幣の繰り出しを行う。識別部１３は、紙幣搬送路４０に沿って搬送されてきた紙幣毎に、その紙幣の金種、真偽を識別する（ｓ４３）。識別部１３は、上述したように、紙幣の厚さ、搬送方向の長さ、および搬送方向に対して垂直な方向の長さを検出し、その紙幣が１枚であるかどうかも判定する。
【００７３】
紙幣処理ユニット４は、金種、真券であることが識別でき、且つ１枚であると判定した紙幣を、紙幣搬送路４０に沿って紙幣入出金口４ａに搬送し、収納する（ｓ４４）。紙幣処理ユニット４は、１枚であると判定できなかった紙幣や、金種、真券であることが識別できなかった紙幣を一時保留部４６に搬送し、収納する（ｓ４５）。
【００７４】
搬送部１２は、紙幣を一時保留部４６に搬送し、収納する毎に、金種別カートリッジ４１〜４４から繰り出す紙幣を１枚追加する。紙幣処理ユニット４は、その金種についてｓ４１で設定した枚数の紙幣を紙幣入出金口４ａに収納するまで（ｓ４６）、ｓ４３〜ｓ４５の処理を繰り返す。
【００７５】
紙幣処理ユニット４は、ｓ４２で決定した金種別カートリッジ４１〜４４から繰り出している紙幣の金種について、ｓ４１で設定した枚数の紙幣を紙幣入出金口４ａに収納すると（ｓ４６）、一時保留部４６に収納している紙幣の有無を判定する（ｓ４７）。
【００７６】
この時点で、一時保留部４６に収納している紙幣は、ｓ４２で決定した金種別カートリッジ４１〜４４から繰り出された紙幣である。したがって、この時点で一時保留部４６に収納している紙幣の金種は、ｓ４２で決定した金種別カートリッジ４１〜４４に対応する金種としても問題はない。また、上述の処理で、ｓ４２で決定した金種別カートリッジ４１〜４４から繰り出した紙幣の枚数は、紙幣入出金口４ａに収納している枚数と、一時保留部４６に収納している枚数と、の和である。また、紙幣入出金口４ａに収納している紙幣の枚数は、ｓ４１でその金種について設定した枚数である。
【００７７】
紙幣処理ユニット４は、ｓ４７で一時保留部４６に収納している紙幣がないと判定すると、以下に示すｓ４８〜ｓ５１に示す処理を行うことなく、ｓ５２以降の処理を行う。
【００７８】
紙幣処理ユニット４は、ｓ４７で一時保留部４６に収納している紙幣があると判定すると、搬送部１２において、一時保留部４６に収納している紙幣を１枚ずつ紙幣搬送路４０に繰り出し、識別部１３に搬送し、金種、真偽を識別する（ｓ４８）。また、識別部１３は、上述したように、ｓ４８で、紙幣の厚さ、搬送方向の長さ、および搬送方向に対して垂直な方向の長さを検出し、その紙幣が１枚であるかどうかも判定する。
【００７９】
紙幣処理ユニット４は、ｓ４８で、識別部１３が１枚であると判定した紙幣については、リジェクトカートリッジ４５に搬送し、収納する（ｓ４９、ｓ５０）。このとき、紙幣処理ユニット４は、識別部１３で金種、真券であることが識別できなかった紙幣であっても、１枚であることが識別できた紙幣については、リジェクトカートリッジ４５に搬送し、収納する。このとき、紙幣処理ユニット４は、リジェクトカートリッジ４５に収納した紙幣の枚数を計数している。
【００８０】
また、紙幣処理ユニット４は、ｓ４８で、識別部１３が１枚であると判定できなかった紙幣については、この紙幣を繰り出した金種別カートリッジ４１〜４４（ｓ４２で決定した金種別カートリッジ４１〜４４）に搬送し収納する（ｓ４９、ｓ５１）。
【００８１】
紙幣処理ユニット４は、一時保留部４６に収納している全ての紙幣を繰り出し、リジェクトカートリッジ４５、またはこの紙幣を繰り出した金種別カートリッジ４１〜４４に収納すると、今回紙幣を繰り出した金種別カートリッジ４１〜４４（ｓ４２で決定した金種別カートリッジ４１〜４４）について、紙幣管理テーブルに記憶している紙幣の収納枚数を更新する（ｓ５２）。今回の紙幣繰出処理で、ｓ４２で決定した金種別カートリッジ４１〜４４から繰り出した紙幣の枚数は、紙幣入出金口４ａに収納した枚数ｘと、リジェクトカートリッジ４５に収納した枚数ｙとを加算した枚数であり、これらは上述したように紙幣処理ユニット４が計数している。ｓ５２では、ｓ４２で決定した金種別カートリッジ４１〜４４について紙幣管理テーブルで記憶している紙幣の枚数から、（ｘ＋ｙ）を減算した枚数に更新する。図５に示す紙幣管理テーブルを例にし、ｓ４２で金種別カートリッジ４１を紙幣の繰り出しを行うカートリッジとして決定していた場合、金種別カートリッジ４１に収納している１万円紙幣の枚数をＡ−（ｘ＋ｙ）に更新する。
【００８２】
また、紙幣処理ユニット４は、リジェクトカートリッジ４５について、紙幣管理テーブルに記憶している紙幣の収納枚数を更新する（ｓ５３）。ｓ５３では、今回紙幣を繰り出した金種別カートリッジ４１〜４４（ｓ４２で決定した金種別カートリッジ４１〜４４）の金種の紙幣について、紙幣管理テーブルに記憶している収納枚数を、ｓ５０でリジェクトカートリッジ４５に収納した枚数ｙを加算した枚数に更新する。図５に示す紙幣管理テーブルを例にし、ｓ４２で金種別カートリッジ４１（または４２）を紙幣の繰り出しを行うカートリッジとして決定していた場合、１万円紙幣の枚数をＨ＋ｙに更新する。また、ｓ４２で金種別カートリッジ４３（または４４）を紙幣の繰り出しを行うカートリッジとして決定していた場合、千円紙幣の枚数をＥ＋ｙに更新する。
【００８３】
紙幣処理ユニット４は、ｓ４１で放出枚数を設定した金種の中で、上述したｓ４２〜ｓ５３にかかる処理を行っていない金種があれば（ｓ５４）、その金種について、上述したｓ４２〜ｓ５３にかかる処理を行う。紙幣処理ユニット４は、ｓ４１で放出枚数を決定した全ての金種について、上述したｓ４２〜ｓ５４にかかる処理を行うと、本処理を終了する。この時点で、紙幣入出金口４ａには、ｓ４１で金種毎に設定した出金枚数の紙幣が収納されている。
【００８４】
図７に戻り、ＡＴＭ１は、ｓ２７にかかる、上述した紙幣繰出処理を完了すると、紙幣入出金口４ａのシャッタを開することで、出金紙幣（紙幣入出金口４ａに収納している紙幣）を利用者に放出する（ｓ２８）。また、ＡＴＭ１は、ｓ２８で、今回の出金取引にかかる取引内容とともに、取引の完了をセンタに通知する。
【００８５】
また、ＡＴＭ１は、ｓ２１で受け付けたカードをカード挿入口６ａに放出する（ｓ２９）。ＡＴＭ１は、ｓ２１で通帳を受け付けていれば、通帳処理ユニット７において、取引内容を通帳に記入していない取引（少なくとも、今回の出金取引）毎に、その取引の取引内容を通帳に印字し、この通帳を通帳挿入口７ａに放出する。ＡＴＭ１は、通帳に印字する取引内容をセンタから取得する。また、ＡＴＭ１は、ｓ２１で通帳を受け付けていなければ、カード処理・明細書処理ユニット６が、今回の出金取引の取引内容を印字した明細書を明細書放出口６ｂに放出する。ＡＴＭ１は、明細書に印字する取引内容をセンタから取得する。利用者は、放出された通帳、または明細書を受け取る。
【００８６】
このように、出金取引では、金種別カートリッジ４１〜４４から繰り出した紙幣に重送が生じた場合、この紙幣は一時保留部４６に収納される。そして、一時保留部４６から繰り出した紙幣に重送が生じた場合、この紙幣は繰り出し元の金種別カートリッジ４１〜４４に収納される。したがって、紙幣の重送が生じても、金種別カートリッジ４１〜４４から繰り出し、紙幣入出金口４ａ、またはリジェクトカートリッジ４５に収納した紙幣の枚数を正確に計数することができる。これにより、紙幣管理テーブルにおいて、金種別カートリッジ４１〜４４毎に収納している紙幣の枚数を適正に管理することができるとともに、リジェクトカートリッジ４５に収納している紙幣については、金種毎に枚数を適正に管理することができる。
【００８７】
また、上記の例では、紙幣管理テーブルは、金種別カートリッジ４１〜４４毎に、収納している紙幣の枚数を管理するとしたが、紙幣の金種毎に、金種別カートリッジ４１〜４４に収納している紙幣の枚数を管理してもよい。具体的には、紙幣管理テーブルが、金種が１万円である金種別カートリッジ４１、４２の合計収納枚数、および金種が千円である金種別カートリッジ４３、４４の合計収納枚数を管理する構成としてもよい。この場合には、上述のｓ５１で紙幣を戻す金種別カートリッジ４１〜４４は、その紙幣を繰り出した金種別カートリッジ４１〜４４に限らず、同じ金種の紙幣を収納する他の金種別カートリッジ４１〜４４に搬送し、収納してもよい。
【００８８】
また、図８に示した処理では、ｓ４９で枚数が１枚であると判定できた紙幣について、その金種、真偽が識別できたかどうかにかかわらず、リジェクトカートリッジ４５に収納するとしたが、図９に示すように、ｓ６０を追加し、金種、真券であることが識別できた紙幣については、ｓ５１で、その紙幣を繰り出した金種別カートリッジ４１〜４４に搬送し、収納する構成としてもよい。この場合、搬送部１２は、ｓ５０で金種、真偽が識別できず、且つ１枚であると判定した紙幣を、リジェクトカートリッジ４５に搬送し、収納する。
【００８９】
この場合、金種別カートリッジ４１〜４４から繰り出したときに重送され、１枚であると判定されずに一時保留部４６に収納された紙幣が、この一時保留部４６から繰り出したときに重送されなかった場合、この紙幣を金種別カートリッジ４１〜４４に戻すことができる。これにより、リジェクトカートリッジ４５に収納される紙幣の枚数を抑えることができ、リジェクトカートリッジ４５の交換作業にかかる係員の手間を低減することができる。また、リジェクトカートリッジ４５に、取引に使用できる紙幣を収納する頻度を抑えられるので、効率的に紙幣を取引に使用することができる。
【００９０】
また、図１０に示すように、ｓ６１追加し、金種、真券であることが識別できなかった紙幣については、ｓ５１で、その紙幣を繰り出した金種別カートリッジ４１〜４４に搬送し、収納する構成としてもよい。この場合、ｓ５０で金種、真券であることが識別でき、且つ１枚であると判定した紙幣を、リジェクトカートリッジ４５に搬送し、収納する。
【００９１】
これにより、リジェクトカートリッジ４５に収納される紙幣の枚数を抑えることができ、リジェクトカートリッジ４５の交換作業にかかる係員の手間を低減することができる。また、金種、真券であることが識別できていない紙幣が、リジェクトカートリッジ４５に収納されるのを防止できる。
【００９２】
また、紙幣処理ユニット４は、出金取引毎に、図８に示した紙幣繰出処理と、図９に示した紙幣繰出処理とを交互に繰り返す構成としてもよい。
【００９３】
また、紙幣処理ユニット４は、出金取引毎に、図８に示した紙幣繰出処理と、図１０に示した紙幣繰出処理とを交互に繰り返す構成としてもよい。
【００９４】
また、上記の例では、紙幣について、その金種別の枚数を管理する場合を例にして、本願発明を説明したが、硬貨であっても、同様に管理できる。
【００９５】
また、本願発明の貨幣処理装置は、上記実施形態で説明したＡＴＭに限らず、他の機器にも利用できる。
【符号の説明】
【００９６】
１…現金自動預け払い機（ＡＴＭ）
２…主制御部
３…操作ユニット
３ａ…表示器
３ｂ…タッチパネル
４…紙幣処理ユニット
４ａ…紙幣入出金口
５…硬貨処理ユニット
５ａ…硬貨入出金口
１１…制御部
１２…搬送部
１３…識別部
１４…記憶部
１５…入出力部
４０…紙幣搬送路
４１〜４４…金種別カートリッジ
４５…リジェクトカートリッジ
４６…一時保留部
【図１】
0005781020.tif 000002
【図２】
0005781020.tif 000003
【図３】
0005781020.tif 000004
【図４】
0005781020.tif 000005
【図５】
0005781020.tif 000006
【図６】
0005781020.tif 000007
【図７】
0005781020.tif 000008
【図８】
0005781020.tif 000009
【図９】
0005781020.tif 000010
【図１０】
0005781020.tif 000011